(57)【要約】      （修正有）【課題】開閉時や収容物を出し入れする際の操作性に優れ、しかも後方におけるデザインの自由度を向上できる簡素な構造のデリバリーボックスを提供する。【解決手段】開口部２１を有する中空の本体部２０と、本体部２０にヒンジを介して装着され開口部２１を開閉する蓋部３０と、蓋部３０を閉じた状態で維持する開閉固定部５０と、を備え、開閉固定部５０は、蓋部３０に装着されたロック機構部５５と、本体部２０に装着されてロック機構部５５が係脱可能な被係合部５１と、を有しており、本体部２０における蓋部３０が対向する位置に、被係合部５１が本体部から突出して設けられ、蓋部３０における被係合部５１が対向する位置に、被係合部５１が挿入されることで蓋部３０を位置合わせする案内孔３８が開設され、被係合部５１が案内孔３８に挿入された状態で、ロック機構部５５が被係合部５１に係合するようにした。【選択図】図３
2014184748.tif 000002
【特許請求の範囲】
【請求項１】
開口部を有する中空の本体部と、該本体部にヒンジを介して装着され上記開口部を開閉する蓋部と、上記蓋部を閉じた状態で維持する開閉固定部と、を備え、該開閉固定部は、上記蓋部に装着されたロック機構部と、上記本体部に装着されて上記ロック機構部が係脱可能な被係合部と、を有するデリバリーボックスであって、
上記本体部における上記蓋部が対向する位置に、上記被係合部が上記本体部から突出して設けられ、
上記蓋部における上記被係合部が対向する位置に、該被係合部が挿入されることで該蓋部を位置合わせする案内孔が開設され、
上記被係合部が上記案内孔に挿入された状態で、上記ロック機構部が上記被係合部に係合するようにした、デリバリーボックス。
【請求項２】
前記本体部には前記蓋部の内側に嵌合される嵌合部を有する、請求項１に記載のデリバリーボックス。
【請求項３】
前記本体部の上壁後部が平板状に形成されている、請求項１又は２に記載のデリバリーボックス。
【請求項４】
前記本体部の上壁後部に連結される蓋部上壁が、該本体部の上壁後部と略連続する平板状に形成され、
上記本体部の上壁後部の後端部に上記蓋部上壁の内部に嵌合される上部嵌合部を有する、請求項３に記載のデリバリーボックス。
【発明の詳細な説明】
【技術分野】
【０００１】
本発明は、二輪車や三輪車の後部に装着されるデリバリーボックスに関する。
【背景技術】
【０００２】
近年、宅配サービスなどには、二輪車や三輪車の後部に装着されて、食品やその他の物品を内部の収容室に収容して搬送するためのデリバリーボックス１０が多用されている。
デリバリーボックス１００は、例えば図５及び図６に示すように、車両前後方向から見て後壁に開口部２１を有する中空の本体部２０と、本体部２０にヒンジ２３を介して装着されて開口部２１を開閉する蓋部３０と、蓋部３０を閉じた状態で維持する開閉固定部５０と、を備えている。
【０００３】
開閉固定部５０は、本体部２０の蓋部３０が近接する位置に装着された被係合部５１と、被係合部５１と係脱可能に蓋部３０に装着されたロック機構部５５と、を有して構成されている。この開閉固定部５０はデリバリーボックス１００の底面に設けると使用者が視認できないため操作性が低下する。またデリバリーボックス１００の側面に設けると車体の側面に被係合部分が形成されるため安全上好ましくない。そのため開閉固定部５０は、視認性や操作性を向上するために、通常、デリバリーボックス１００の後面に設けられている。
【０００４】
このようなデリバリーボックス１００は、繊維強化樹脂等を用いて薄肉に形成されているが、蓋部３０を閉じて開閉固定部５０により蓋部３０を閉じた状態で固定すると、内部に大きな収容室２７を設けた状態で十分な強度を確保できる。
【発明の概要】
【発明が解決しようとする課題】
【０００５】
しかしながら、従来のデリバリーボックス１００では、蓋部３０が薄肉のために成形時や使用時の変形、経時劣化による変形などが存在し、さらに開閉操作時の荷重による変形が生じることがある。蓋部３０により開口部２１を閉じた際、被係合部５１とロック機構部５５との相対位置に僅かにずれが生じることがあった。その場合、使用者が蓋部３０の位置を僅かにずらして位置合わせをした後、ロック機構部５５を被係合部５１に係合させなければならず、開閉時の操作性が低下し易かった。
【０００６】
また、従来のデリバリーボックス１００では、蓋部３０をしっかりと本体部２０に固定させるために本体部２０の後壁に被係合部５１を設けると共に、被係合部５１に近接する蓋部３０にロック機構を設けていた。そのため、被係合部５１を安定配置できる部位を確保して開口部２１を設けるか、被係合部５１の配置部位とは異なる位置に蓋部３０を設けなければならず、開口部２１や蓋部３０がその分小さく形成されていた。その結果、開口部２１が小さいことで収容物の出し入れが難しくなり、また蓋部３０と本体部２０との間の境界線が後方から視認されることで、後方におけるデザインの自由度が低下していた。
【０００７】
さらに、従来のデリバリーボックス１００では、全体が丸味を帯びた形状に形成されていた。このような形状では、蓋部３０を閉じて開閉固定部５０で固定した状態では強度を確保し易いものの、本体部２０の上壁後部が後方に向かって下り勾配の湾曲形状となるため、後部の開口部２１の上端が低い位置に配置されてしまい、収容室２７の内部を視認し難く、また開口部２１がその分小さくなっていた。さらに湾曲形状のため輪郭形状が不鮮明に視認され易く、デザインの自由度が低下していた。
【０００８】
そこで本発明では、開閉時や収容物を出し入れする際の操作性に優れ、しかも後方におけるデザインの自由度を向上できる簡素な構造のデリバリーボックスを提供することを目的とする。
【課題を解決するための手段】
【０００９】
上記目的を達成する本発明のデリバリーボックスは、開口部を有する中空の本体部と、本体部にヒンジを介して装着され開口部を開閉する蓋部と、蓋部を閉じた状態で維持する開閉固定部と、を備え、開閉固定部が、蓋部に装着されたロック機構部と、本体部に装着されてロック機構部が係脱可能な被係合部と、を有するデリバリーボックスであって、本体部における蓋部が対向する位置に、被係合部が本体部から突出して設けられ、蓋部における被係合部が対向する位置に、被係合部が挿入されることで蓋部を位置合わせする案内孔が開設され、被係合部が案内孔に挿入された状態で、ロック機構部が被係合部に係合するようにしたものである。
【００１０】
このデリバリーボックスは、本体部に蓋部の内側に嵌合される嵌合部を有していてもよい。
一方、本体部の上壁後部は平板状に形成されているのがよい。その場合、本体部の上壁後部に連結される蓋部上壁が、本体部の上壁後部と略連続する平板状に形成され、本体部の上壁後部の後端部に蓋部上壁の内部に嵌合される上部嵌合部を有するのが好適である。
【発明の効果】
【００１１】
本発明によれば、本体部における蓋部が対向する位置に被係合部が突出して設けられ、蓋部における被係合部と対向する位置に、被係合部が挿入されることで蓋部を位置合わせする案内孔が設けられているので、蓋部を閉じる際、被係合部が位置決め孔に挿入されて蓋部が所定位置に配置されると共に、ロック機構部が被係合部と係合可能となる。
【００１２】
そのため、蓋部を閉じた状態を維持するための開閉固定部を利用して蓋部の位置決めができるため、部品点数の増加や構造の複雑化を招くことなく、蓋部を所定位置で開閉させることが可能であり、薄肉に形成された蓋部の開閉が容易で操作性を向上できる。
【００１３】
また本体部の後部において、蓋部により覆われる部位とは別に被係合部を配置する部位を設ける必要がなく、開口部や蓋部を大きくでき、顕著な場合には本体部の後部全体を蓋部で覆うことも可能となる。それ故、大きな開口部により中空部の内部を視認し易く、また、収容物の出し入れも容易になり操作性を向上できると共に、蓋部の大きさや形状を自在に設定でき、デザインの自由度を向上することができる。
【００１４】
よって本発明によれば、開閉時や収容物を出し入れする際の操作性に優れ、しかも後方におけるデザインの自由度を向上できる簡素な構造のデリバリーボックスを提供することが可能である。
【図面の簡単な説明】
【００１５】
【図１】（ａ）は本発明の実施形態に係るデリバリーボックスの側面図、（ｂ）は後面図、すなわち、蓋部側から見た正面図である。
【図２】本発明の実施形態に係るデリバリーボックスの蓋部を開いた状態の側面図である。
【図３】本発明の実施形態に係るデリバリーボックスの開閉固定部を示す部分断面図である。
【図４】（ａ）は図３のIV−IV線断面図であり、（ｂ）は被係合部及びロック機構と蓋部の案内孔との位置関係を示す後面図である。
【図５】従来のデリバリーボックスの側面図である。
【図６】従来のデリバリーボックスの蓋部を開いた状態の側面図である。
【発明を実施するための形態】
【００１６】
以下、本発明の実施形態について図を用いて詳細に説明する。
本実施形態のデリバリーボックスは、二輪車や三輪車の後部に装着されるバイク用リヤボックスである。
【００１７】
このデリバリーボックス１０は、図１（ａ），（ｂ）及び図２に示すように、車両前後方向から見て後部に開口部２１を有する本体部２０と、開口部２１を開閉する蓋部３０と、蓋部３０を閉じた状態で維持する開閉固定部５０と、を備えている。本体部２０及び蓋部３０は薄肉の立体形状に形成されており、本体部２０の上壁２２にヒンジ２３を介して蓋部３０が開閉可能に装着されている。開閉固定部５０は、蓋部３０に装着されたロック機構部５５と、本体部２０の後部に装着されてロック機構部５５が係脱可能な被係合部５１と、を有し、蓋部３０を閉じた状態で被係合部５１とロック機構部５５とが係合可能となっている。
【００１８】
本体部２０は、装着状態で最下部となる底壁２４と、底壁２４から立ち上がった前壁２５及び一対の側壁２６、と、各壁２４，２５，２６の上部に配置された上壁２２とを備える。これらは例えば繊維強化樹脂、その他の樹脂等により形成されており、全ての壁２２，２４，２５，２６が一体に連続している。ここで、互いに隣接する各壁２２，２４，２５，２６間は、曲面形状に連続するのがよい。この本体部は中空であり、内部が各種の収容物を収容するための収容室２７となっている。内面に断熱材やクッション材等が設けられていてもよい。
【００１９】
本体部２０の後部には、後方に向けて開口部２１が設けられており、この開口部２１を通して収容室２７が外部と連通している。
開口部２１の周囲には、蓋部３０の内側に嵌合される嵌合部２８が設けられている。ここでは、上壁後部２２ａ、左右の側壁後部２６ａ及び底壁後部２４ａにそれぞれ上部嵌合部２８ａ、左右の側部嵌合部２８ｂ及び底部嵌合部２８ｃが連続して設けられている。嵌合部２８や開口部２１の周縁にはパッキンが装着されて、蓋部３０の内壁面と密着可能となっていてもよい。
【００２０】
本体部２０の底壁２４は、装着状態で略水平となるように形成されている。底壁後部２４ａには、湾曲乃至屈曲して起立した起立部２４ｂが設けられ、起立部２４ｂの端部が開口部２１の下端縁となっている。下部嵌合部２８はこの起立部２４ｂを含む位置に形成されており、略水平となる位置まで深く形成されている。
起立部２４ｂの上端部における幅方向中間位置には、後述するように開閉固定部５０の被係合部５１が固定されている。この被係合部５１は、蓋部３０を閉じた際に対向する位置となるように配置されている。
【００２１】
本体部２０の上壁２２は、前方側に膨出部２２ｂが設けられ、膨出部２２ｂより後方における広い範囲の上壁後部２２ａが平板状に略後端まで形成されている。上壁後部２２ａは装着状態で水平であってもよく、水平より例えば±１０度程度傾斜していてもよい。ここでは水平より若干後方側に向けて上り勾配となるように形成されている。この傾斜により、上壁２２に付着した雨水等の水分が前方側に流れた場合には、膨出部２２ｂに沿って幅方向の両側へ流下するようになっている。
【００２２】
上壁後部２２ａの後端部には、蓋部上壁２２の内部に嵌合される上部嵌合部２８ａが段差状に設けられている。この上部嵌合部２８ａは、左右の側部嵌合部２８ｂ及び底部嵌合部２８ｃに比べて広く形成されている。
【００２３】
一対の側壁２６は全体が略平板状に形成されており、側壁後部には段差状に側部嵌合部２８ｂが設けられている。この側部嵌合部２８ｂは、上部嵌合部２８ａから下部嵌合部２８に向けて徐々に狭い幅となるように形成されている。
【００２４】
蓋部３０は、装着状態で最後部となる後壁３１と、後壁周囲から前方に向けて立ち上がった蓋部底壁３４と、蓋部上壁３２と、一対の蓋部側壁３６と、を備える。これらは例えば繊維強化樹脂、その他の樹脂等により形成されており、全ての壁３１，３２，３４，３６が一体に連続している。互いに隣接する各壁３１，３２，３４，３６間は曲面形状で連続するのがよい。これらの内面には断熱材やクッション材等が設けられていてもよい。
【００２５】
蓋部の後壁３１は、上部に後方へ突出する後方突出部３７が設けられ、後方視において蓋部の上縁側の輪郭が鮮明に視認されるようになっている。後方突出部３７より下方の広い範囲が平板状に形成されている。
【００２６】
この後壁３１の下端側には、図３に示すように、本体部２０に設けられた被係合部５１が対向する位置に案内孔３８が開設されている。また案内孔３８の近傍における後方表面には、後述するようにロック機構部５５が装着されている。
【００２７】
蓋部上壁３２は、本体部２０の上壁後部２２ａと略連続する平板状に形成されている。この蓋部上壁３２は、後端側で後壁３１の後方突出部３７と小径の曲面形状を介して鋭角状に連続している。そのため、蓋部上壁３２と後壁３１との間に括れが形成されて、側面視において蓋部３０の上部が後方に向けて突出した外観を形成している。
【００２８】
一対の蓋部側壁３６は、蓋部上壁３２及び後方突出部３７の形状に対応した形状を有し、前端側が本体部２０の側壁２６と略連続する形状に形成されており、上端側が平板状となっている。この蓋部側壁３６では、側面視において曲線的な見切り線が形成され、蓋部３０後縁との間の幅が下側ほど狭くなっている。蓋部底壁２４は、一対の蓋部側壁３６間で略水平となる位置まで延びている。
【００２９】
この蓋部３０は、蓋部上壁３２の前端側において、本体部２０の上壁後部２２ａにヒンジ２３を介して装着されており、ヒンジを中心に回動させることで、本体部２０の開口部２１を開閉できるようになっている。
【００３０】
デリバリーボックスの開閉固定部５０は、図３及び図４（ａ），（ｂ）に示すように、本体部２０に装着された被係合部５１と、蓋部３０に装着されたロック機構部５５とを有している。
被係合部５１は、底壁２４の起立部２４ｂにおける蓋部３０と対向する位置に、後方に向けて突設されている。この被係合部５１は、起立部２４ｂから離間する頂部側に向けて水平方向の幅及び垂直方向の幅が徐々に狭くなるように側周囲が形成されており、ロック機構部５５のフック５６を下方から係合可能に、係止部５３が設けられている。
【００３１】
ロック機構部５５は、蓋部３０における被係合部５１と対向する位置の案内孔３８の近傍に係脱操作可能に装着されている。このロック機構部５５としては、被係合部５１の係止部５３に係脱可能なフック５６と、このフック５６を係脱操作するための操作レバー５７と、操作レバー５７の操作をフック５６の上下動又は前後動等の動作に変換する変換機構５８と、を備えている。何ら限定されるものではないが、例えばパチン錠Ｐ６００Ｈ−ＳＫＤ（株式会社日乃本錠前、商品名）等を使用できる。
【００３２】
このようなデリバリーボックス１０を使用するには、図２に示すように、蓋部３０を回動させて本体部２０の開口部２１を開く。この状態で収容室２７に収容物を出し入れし、その後、図１に示すように、蓋部３０を回動させて開口部２１を閉じる。
【００３３】
このとき、図３及び図４（ａ），（ｂ）に示すように、開口部２１を閉じる方向に蓋部３０を回動させると、まず蓋部３０の案内孔３８に被係合部５１が挿入される。このとき被係合部５１の頂部側の各幅が狭くなっているため、蓋部３０の案内孔３８の位置が多少ずれていても円滑に挿入されることができる。
さらに開口部２１を閉じる方向に蓋部３０を回動させると、案内孔３８の内周縁が被係合部５１の側周囲に当接しつつ案内されることで、本体部２０に対して蓋部３０が所定位置に位置合わせされる。
【００３４】
蓋部３０を最後まで閉じると、被係合部５１が案内孔３８に完全に挿入された状態となる。この状態でロック機構部５５の操作レバー５７を操作すると、フック５６が動作し、フック５６の先端が被係合部５１の係止部５３と係合する。これにより本体部２０の開口部２１を蓋部３０により閉じた状態で維持される。
【００３５】
以上のようなデリバリーボックス１０によれば、本体部２０における蓋部３０が対向する位置に被係合部５１が後方に向けて突設され、蓋部３０における被係合部５１と対向する位置に、被係合部５１が挿入されることで蓋部３０が位置合わせされる案内孔３８が設けられていることから、蓋部３０を閉じる際、被係合部５１が位置決め孔に挿入されて蓋部３０が所定位置に配置されると共に、ロック機構部５５が被係合部５１と係合可能となる。
【００３６】
そのため蓋部３０を閉じた状態を維持するための開閉固定部５０を利用して蓋部３０の位置決めができるため、部品点数の増加や構造の複雑化を招くことなく、蓋部３０を所定位置で開閉させることが可能であり、薄肉に形成された蓋部３０の開閉が容易で操作性を向上できる。
【００３７】
また本体部２０の後部において、蓋部３０により覆われる部位とは別に被係合部５１を配置する部位を設ける必要がなく、開口部２１や蓋部３０を大きくでき、顕著な場合には本体部２０の後部全体を蓋部３０で覆うことも可能になる。それ故、大きな開口部２１により中空部の内部が視認し易くなると共に、収容物の出し入れが容易になり操作性を向上でき、また蓋部３０の大きさや形状を自在に設定できてデザインの自由度を向上することができる。
【００３８】
またこのデリバリーボックス１０によれば、本体部２０の底壁後部２４ａに蓋部３０の内側に嵌合される下部嵌合部２８を有するので、本体部２０の上壁２２に装着された蓋部３０を、本体部２０の下部嵌合部２８に嵌合することで、薄肉であっても蓋部３０を閉じた状態で安定に配置できる。そのため開口部２１の下端をより低い位置に形成して、大きな開口部２１を設けることが可能である。
【００３９】
このデリバリーボックス１０では、本体部２０の上壁後部２２ａが平板状に形成されているので、開口部２１の上端を高い位置に形成できる。そのため、開口部２１をより広くすることができ、使用者がデリバリーボックス１０の内部を視認し易くでき、収容物の出し入れが容易になる。
【００４０】
このデリバリーボックス１０では、上壁後部２２ａ、左右の側壁後部２６ａ及び底壁後部２４ａにそれぞれ上部嵌合部２８ａ、左右の側部嵌合部２８ｂ及び底部嵌合部２８ｃが連続して設けられているため、蓋部３０を閉じた際、これらの嵌合部２８に蓋部底壁３４、一対の蓋部側壁３６及び蓋部上壁３２を嵌合させることで、薄肉で浅い立体形状の蓋部３０の剛性を容易に確保できる。
【００４１】
このデリバリーボックス１０によれば、蓋部３０を閉じた状態における蓋部３０の上壁２２が、本体部２０の上壁後部２２ａと略連続する平板状に形成されている。よって、デリバリーボックス１０の後方上部の輪郭を明確にでき、外観品質を向上できる。さらに平板状に形成された本体部２０の上壁後部２２ａの後端部に、蓋部３０の内部が嵌合する上部嵌合部２８ａを有するため、上部嵌合部２８ａも平板状に形成すればよく、上部嵌合部２８ａを前後方向に広い幅で設けて蓋部３０と嵌合させることができる。従って、外部から本体部２０の室内への水の侵入を容易に防止することができる。
【００４２】
しかも、蓋部上壁２２が平板状に形成されているので、蓋部３０の平板状の後壁３１をより広く確保できる。そのためこの後壁３１の広い領域に各種の表示部を形成することが可能となり、表示部の視認性を向上できる。
【００４３】
なお、上記実施形態は本発明の範囲内において適宜変更可能である。例えば上記説明では、蓋部３０を上壁２２にヒンジ２３を介して装着した例について説明したが、ヒンジを側壁２６又は底壁２４に装着して横方向又は下方向に開閉するように構成してもよい。
また上記実施形態では、開口部２１を本体部２０の後部に設けた例について説明したが、開口部２１をデリバリーボックス１０の前方、側方又は上方に設けることも可能である。その場合、上記実施形態における前後、上下、左右の関係をそれぞれ変換することで、本発明を同様に適用することが可能である。
【符号の説明】
【００４４】
１０，１００  デリバリーボックス
２０  本体部
２１  開口部
２２  上壁
２２ａ  上壁後部
２２ｂ  膨出部
２３  ヒンジ
２４  底壁
２４ａ 底壁後部
２４ｂ  起立部
２５  前壁
２６  側壁
２６ａ  側壁後部
２７  収容室
２８  嵌合部
２８ａ  上部嵌合部
２８ｂ  側部嵌合部
２８ｃ  底部嵌合部
３０  蓋部
３１  後壁
３２  蓋部上壁
３４  蓋部底壁
３６  蓋部側壁
３７  後方突出部
３８  案内孔
５０  開閉固定部
５１  被係合部
５３  係止部
５５  ロック機構部
５６  フック
５７  操作レバー
５８  変換機構
【図１】
2014184748.tif 000003
【図２】
2014184748.tif 000004
【図３】
2014184748.tif 000005
【図４】
2014184748.tif 000006
【図５】
2014184748.tif 000007
【図６】
2014184748.tif 000008